(57)【要約】      （修正有）【課題】主に福祉車両の車椅子固定装置において、車椅子の座面下部が暗く見えにくいため、固定装置の取り付け作業を正確に行うために明るく照らす車椅子固定装置ライトを提供する。【解決手段】車椅子固定装置のついた福祉車両において、車椅子の固定位置の車両フロアの床面に車椅子下部を照らす為に、点灯及び消灯を手動または自動で行う事が出来るライト１が形成されている。ライト１は、面一状かつ上部が透明または半透明なライトの光を通す素材で、かつ車椅子が乗っても割れることのない硬度を持つガラス、プラスチックまたはアクリルによりカバーされている構造１５である。【選択図】図２
0003222175.tif 000002
【実用新案登録請求の範囲】
【請求項１】
本考案は、車椅子固定装置のついた福祉車両等において、車椅子の固定位置の車両フロアの床面に車椅子下部を照らす為に、点灯及び消灯を手動または自動で行う事が出来るライトが形成されていることを特徴とする車椅子固定装置ライト。
【請求項２】
請求項１記載のライトは、面一状かつ上部が透明または半透明なライトの光を通す素材で、かつ車椅子が乗っても割れることのない硬度を持つガラス及びプラスチック、アクリルなどによりカバーされている構造である事を特徴とする請求項１記載の車椅子固定装置ライト。
【請求項３】
車椅子固定装置ライトは、車椅子固定装置のロックが解除され車椅子の固定がされていない場合には、車椅子固定装置の床面が移動し始めた時または所定の位置からフックを引き抜く動作を確認し、自動的に車椅子固定装置ライトの電気が点灯、
車椅子固定装置のフックを車椅子にかけロックを開始すると、車椅子固定装置ライトが一定時間で自動的に消えるシステムである。
また、車椅子固定装置に車椅子が固定されている状態において、ロックを解除すると、電気が点き、所定の位置に車椅子固定装置のフックが戻されたとき及び一定時間が経つと、車椅子固定装置ライトが自動的に消えるシステムであることを特徴とする請求項１および請求項２記載の車椅子固定装置ライト。
【請求項４】
センサにより自動的にライトが点き、所定時間が経つまたは動きを感知しなくなると一定時間で自動的にライトが消灯するシステムは、人または車椅子の動きを検知するセンサがライトの点灯を指示し、人の動きを感知するとライトが点き、
所定時間が経つまたは、人または車椅子などの動きが感知されなくなると一定時間で自動的にライトが消灯する事を特徴とする請求項１から請求項３のいずれかに記載されている車椅子固定装置ライト。
【請求項５】
本考案は、一車両に複数の車椅子固定装置がある場合については、車椅子１台につき一つのライトが車椅子固定位置の下部に形成され、車椅子の固定作業を行う車椅子のライトのみが点灯及び消灯する構造である事を特徴とする請求項１から請求項４のいずれかに記載されている車椅子固定装置ライト。
【請求項６】
本考案は、ライトが車両から取り外し可能で、かつライトを取り付ける接続部を調節することで照射角度を変更可能であることを特徴とする請求項１から請求項５のいずれかに記載されている車椅子固定装置ライト
【考案の詳細な説明】
【技術分野】
【０００１】本考案は、福祉車両において、フック等で車いすを固定する時に作動する、車いす下部を照らすことを特徴とする車椅子固定装置用ライトである。
【技術背景】
【０００２】従来技術、福祉車両において、車椅子をフックなどで固定する車が多くあります。しかし、車いすの座面下は後輪及び固定を行う人によって光が入りにくく暗いため、車いすのフレーム部が見えにくいという欠点があった。
福祉車両を運転するドライバーが車の固定を行うことが多いが、高齢ドライバーも多く、フックがしっかり止められていないと、走行中フックが外れて、車いすが倒れるという事故につながる可能性が考えられる。
【０００３】止めやすいシステムと同様に、フレーム位置を正確に把握するために、車いすが固定される位置の下部を照らす壊れにくく作業の邪魔にならないライトが必要とされる。
【０００４】
【考案の概要】
【考案が解決しようとする課題】
【０００５】従来の福祉車両では、車椅子の本体フレームにフックをひっかけ、フックを引き固定することで車椅子が動かないように固定される仕組みのものが多い。しかし、昼間でもフックをひっかける座面下部のフレームは、後輪及び固定を行う人によって光が入りにくく暗いため見えにくい。特に夜になると、車内ライトも当たらず、全く座面下部のフレームは見えなくなる。そのため、フレーム位置を正確に把握するために車椅子下部を照らすライトを提供することにある。
【課題を解決するための手段】
【０００６】上記目的を達成するために、本考案は福祉車両の車椅子固定位置の床面または床付近に面一状となるように車両フロア面に電気の消灯が可能な車椅子固定装置ライトが形成されている。【０００７】請求項１記載のライトは、自動または手動にて電気がつくもので、埋め込み式のライトで車内フロア面と面一状になることが理想だが、下部が照らすことができる形状であれば足りる。ライトの上部は透明または半透明なライトの光を通す素材で、かつ車椅子が乗っても割れることのない硬度を持つガラス及びプラスチックなどによりカバーされている構造である。【０００８】請求項３記載の車椅子固定装置ライトの自動でライトが点くシステムは、車椅子固定装置のロックが解除され車椅子の固定がされていない場合には、車椅子固定装置の床面が移動し始めた時または所定の位置からフックを引き抜く動作を確認し、自動的に車椅子固定装置ライトの電気が点き、
車椅子固定装置のフックを車椅子にかけロックを開始すると、車椅子固定装置ライトが一定時間で自動的に消えるシステムである。
また、車椅子固定装置に車椅子が固定されている状態において、ロックを解除すると、電気が点き、所定の位置に車椅子固定装置のフックが戻されたとき及び一定時間が経つと、車椅子固定装置ライトが自動的に消えるシステムであることを特徴とする【０００９】請求項４記載のセンサにより自動的にライトが点き、所定時間が経つまたは動きを感知しなくなると一定時間で自動的にライトが消灯するシステムは、人または車椅子の動きを検知するセンサがライトの点灯を指示し、人の動きを感知するとライトが点き、
所定時間が経つまたは、人または車椅子などの動きが感知されなくなると一定時間で自動的にライトが消灯する事を特徴とする。【００１０】請求項５記載の一車両に複数の車椅子固定装置がある場合については、車椅子１台につき一つのライトが車椅子固定位置の下部に形成され、車椅子の固定作業を行う車椅子のライトのみが点灯及び消灯する構造である事を特徴とする。【００１１】一車両に複数の車椅子固定装置がある場合について、各々のライトが点灯することが望ましいが、床に取り付けられたライトが点灯及び消灯し多数の車椅子の下部を照らす構造でも良い。
【考案の効果】
【００１２】以上の説明から明らかなように、本考案では次に列挙する効果が得られる。【００１３】埋め込みかつ面一状の形状から、ライトを設置しても、スペースを取らないため、フックをかけるなどの作業の邪魔にならない。【００１４】フックをかける時に、ライトが点くことで車椅子下部が明るく照らされ、フレームを目視しながらフックをかけることが可能になる。【００１５】自動でライトが点灯及び消灯されるため、作業に集中でき、消し忘れが起こらないことが可能になる。
【図面の簡単な説明】
【００１６】
【図１】本考案の実施の形態にかかる車椅子固定装置ライトの平面図
【図２】本考案の実施の形態にかかる車椅子固定装置ライトを表す模式側面図
【図３】フック掛け動作における車椅子固定装置ライトを表す斜視図
【図４】車内に複数台車椅子固定装置がある車の場合の模式平面図
【図５】本考案の車椅子固定装置ライトの設置部を表す斜視図
【図６】車椅子固定装置ライトの構成を表すブロック図
【図７】車椅子固定装置ライトの制御方法を表すフローチャート
【考案を実施するための形態】
【００１７】以下、本考案の実施例の形態を図に基づいて説明する。
なお、以下の説明において参照する各図の形状は、好適な形状寸法を説明する上での概念図または概略図であり、実際の寸法比率とは必ずしも一致しない。
【００１８】ライト１の形状は面一状としているが、車椅子下部を照らす形状であれば足りるものとする。ライト１の材質は問わないものである。
以下、実施形態の車椅子固定装置ライトの構造について説明する。
【００１９】図１は、本考案の実施の形態にかかる車椅子固定装置ライトの平面図である。車椅子が固定される床面にライト１及びその上部にカバー１５が形成され、自動または手動にてライト１が点灯及び消灯する構造である。
【００２０】図２は、本考案の実施の形態にかかる車椅子固定装置ライトを表す模式側面図である。埋め込み式のライト１であることで、床面とフラットになる。
【００２１】図３は、フック掛け動作における車椅子固定装置ライトを表す斜視図である。車椅子の固定において、車椅子の後輪及び自身が光を遮断する為暗く、座面下部はほとんど見えない状態になる。この状態において、フレ−ム５にフックをかける作業は容易ではない。特に暗くなり見えづらくなる前フック６とフレ−ム５をくっきり照らす位置にライト１を設置する。
【００２２】図４は、車内に複数台車椅子固定装置がある場合の模式平面図である。
ワイヤフックが引き抜かれる動きまたは人や物の動作を検知するセンサがあり、それを制御部に伝え、制御部７よりライトの点灯消灯を指示する構造である。一台の車椅子につき一つのライトが設置されており、ライト毎についとなるセンサがあり、車椅子が固定されるところのライトのみが点灯する構造である。
例えば、図４に示すように運転席の隣の助手席に車椅子を固定する場合、運転席の隣のセンサ３ａが動きを検知し、制御部へ伝え、ライト１ａのみを点灯させることが可能である。
点灯消灯システムの形態は本考案形態に限定されず、様々な形態を採用可能である。例えば、手動にて起動する場合ボタンやスイッチで作動する形態を採用してもよい。床面に全体を照らすライトを一点取り付ける形態でも良い。
【００２３】  図５に示すように、例えばライトを取り付ける接続部８が磁石や凹凸によって一対になることで取り付ける。ライト１の取り外しや角度を変える事が可能な為、電池交換や見えにくい箇所の照射を可能とする。
上記実施形態では、埋め込み式であるが、車椅子下部を照らすライトであれば面一状のライトでなくてもよい。
図６、図７に示すように、例えば、エンジン始動信号検出信号が制御部７に伝達されることにより、センサ３またはスイッチ４が起動する。センサ３が、動作を検出すると検出信号等に基づいて、部制御の指示に基づき、車椅子固定装置ライトのライトが点灯する。または、車内に設置されたスイッチ起動時にスイッチ４をオンにすることで、車椅子固定装置ライトのライトが点灯する
【００２４】次に、ライト点灯９からセンサ３から動作を感知またはしなり一定時間経過するか、または車椅子固定装置に車椅子がロックされることで自動的に消灯１０する。または、ライト点灯かつスイッチ起動時において、スイッチをオフにすることで消灯する。または、車の発信１１、一定時間の経過１３により自動的に消灯１０し、ル−ティンに戻る。
また、本考案は福祉車両のみに限定されるものではない。
【産業上の利用可能性】
【００２５】車椅子を固定するために、フックを適切に止めることは安全のために非常に重要であるが、福祉車両を運転するドライバ−は高齢ドライバ−が増えているため、簡単につけられる事も重要だが、見やすく、目視にて確認出来る必要性がある。ライトがあることで、確り見えれば、安全性が格段に上がるはずである。また、ライトの設置にかかる費用が安価である。
【符号の説明】
【００２６】１、ライト
２、車椅子が固定される底面
３、センサ
４、スイッチ
５、フレーム
６、前フック
７、制御部
８、ライトを取り付ける接続部
９、点灯
１０、消灯
１１、後ろフック
１２、車椅子の後輪
１３、運転席
１４、電源プラグ
１５、カバー
【図１】
0003222175.tif 000003
【図２】
0003222175.tif 000004
【図３】
0003222175.tif 000005
【図４】
0003222175.tif 000006
【図５】
0003222175.tif 000007
【図６】
0003222175.tif 000008
【図７】
0003222175.tif 000009
【手続補正書】
【提出日】平成31年4月22日(2019.4.22)
【手続補正１】
【補正対象書類名】実用新案登録請求の範囲
【補正対象項目名】全文
【補正方法】変更
【補正の内容】
【実用新案登録請求の範囲】
【請求項１】
車椅子固定装置のついた福祉車両において、車椅子の固定位置の車両フロアの床面に車椅子下部を照らす為に、点灯及び消灯を手動または自動で行う事が出来るライトが形成されていることを特徴とする車椅子固定装置ライト。
【請求項２】
請求項１記載のライトは、面一状かつ上部が透明または半透明なライトの光を通す素材で、かつ車椅子が乗っても割れることのない硬度を持つガラス、プラスチックまたはアクリルによりカバーされている構造である事を特徴とする請求項１記載の車椅子固定装置ライト。
【請求項３】
車椅子固定装置ライトは、フックを引き抜く動作またはロックを解除すると電気が点き、車椅子固定具のロック、運転の開始、または車椅子の固定装置の動作を感知してから一定時間経過する事で自動的に消灯する、以上の構成からなることを特徴とする請求項１または請求項２記載の車椅子固定装置ライト。
【請求項４】
センサにより人または車椅子の動きを検知しライトの点灯を指示し、人の動きを感知するとライトが点き、車椅子のロックの開始、人または車椅子などの動きが感知されなくなると一定時間で自動的にライトが消灯する事を特徴とする請求項１から請求項３のいずれかに記載されている車椅子固定装置ライト。
【請求項５】
車内に複数の車椅子固定装置において、車椅子１台につき一つのライトと動作を検知するセンサが車椅子固定位置の下部に形成され組み合わせられており、固定作業を行うライトのみが点灯または消灯する構造である事を特徴とする請求項１から請求項４のいずれかに記載されている車椅子固定装置ライト。
【請求項６】
ライトが車両から取り外し可能で、かつ設置部を調節することで照射角度を変更可能であることを特徴とする請求項１から請求項５のいずれかに記載されている車椅子固定装置ライト。